(57)【要約】【課題】ベース１１を形成するための鉄筋１３の、ベース型枠１１ａに対する保持が確実にできて、ベース型枠１１ａの設置を簡単に行うことができ、しかも構造が非常に簡単で施工を容易にすること。【解決手段】保持金具２０を折り曲げ可能な直線状の棒材または板材によって形成するとともに、ベース型枠１１ａに形成した係止穴１１ｂに係止できる先端部２１を両端にそれぞれ形成し、かつ、この保持金具２０を折り曲げたときにできる折曲部２２を、鉄筋１３の挿通保持部としたこと。【選択図】図３
2008196243.tif 000002
【特許請求の範囲】
【請求項１】
基礎コンクリートのベースを形成するためのベース型枠に取り付けられて、両ベース型枠と、前記ベース内に埋設される鉄筋とを連結するための保持金具であって、
この保持金具を折り曲げ可能な直線状の棒材または板材によって形成するとともに、前記ベース型枠に形成した係止穴に係止できる先端部を両端にそれぞれ形成し、かつ、この保持金具を折り曲げたときにできる折曲部を、前記鉄筋の挿通保持部としたことを特徴とする保持金具。
【請求項２】
少なくとも一方の先端部の内側に前記係止穴に係止できる係止突起を形成したことを特徴とする請求項１に記載の保持金具。
【請求項３】
基礎コンクリートのベースを形成するためのベース型枠に取り付けられて、両ベース型枠と、前記ベース内に埋設される鉄筋とを連結するための保持金具であって、
この保持金具を折り曲げ可能な直線状の棒材または板材によって形成するとともに、前記ベース型枠に形成した係止穴に挿入できる先端部を両端にそれぞれ形成し、かつ、この保持金具を折り曲げたときにできる折曲部を、前記鉄筋の挿通保持部とし、
さらに、前記各先端部に、前記各ベース型枠を地面に固定する杭が挿入される挿入穴を形成したことを特徴とする保持金具。
【請求項４】
前記先端部の、前記折曲部の近傍に位置する部分に、前記鉄筋を止めるための鉄筋止めを一体的に形成したことを特徴とする請求項１〜請求項３のいずれかに記載の保持金具。
【請求項５】
基礎コンクリートのベースを形成するためのベース型枠に取り付けられて、両ベース型枠と、前記ベース内に埋設される鉄筋とを連結するための保持金具であって、
この保持金具を折り曲げ可能な直線状の棒材または板材によって形成するとともに、前記ベース型枠の外側に配置される基部の両側に、前記ベース型枠の内側に折り曲げることのできる先端部をそれぞれ一体的に設け、これら各先端部の先端に、前記鉄筋を挿通して保持する保持腕を形成したことを特徴とする保持金具。
【発明の詳細な説明】
【技術分野】
【０００１】
本発明は、ベースとその上の布基礎からなる基礎コンクリートの、主としてベース側を形成するための保持金具に関するものである。
【背景技術】
【０００２】
家屋等の建物を建築する上で、最も重要な構造物は、基礎コンクリートである。基礎コンクリート上には、建物の構造材が順に組み立てられて行く、文字通り「基礎」となるものであるから、堅固で正確なものとして形成しなければならない。
【０００３】
このようなベース１１と布基礎１２とからなる基礎コンクリート１０は、一般的には、次のようにして形成される。すなわち、図７に示すように、建物を建てる土地に基礎溝１４を形成しておいて、この基礎溝１４上の左右にベース型枠１１ａを立設しておき、このベース型枠１１ａ内に生コンクリートを打設することによってベース１１を形成するのである。この際、ベース型枠１１ａ内には、完成されるベース１１の強度を補償するための鉄筋１３が配置され、この鉄筋の先端は、ベース１１から突出するものとされる。
【０００４】
ベース１１が完成すれば、鉄筋１３の一部が上方に突出するから、この鉄筋１３を包み込むようにしながら、ベース１１上に左右の布基礎型枠１２ａを組み、これらの布基礎型枠１２ａの間にコンクリートを打設して布基礎１２を形成する。以上のようにして、断面が逆「Ｔ字状」の基礎コンクリート１０が完成するのである。
【０００５】
以上のような基礎コンクリート１０の、特にベース１１を形成するために、従来より種々な部品、材料が提案されているが、例えば、特許文献１に示されている「基礎コンクリートの型枠構造及び枠板の保持具」や、特許文献２に示されている「基礎コンクリート成形用プレートの支持具及び支持構造」がある。
【特許文献１】特開平０９−３９１６号公報、要約、代表図
【特許文献２】特開平１０−３０６５８１号公報、要約、代表図
【発明の開示】
【発明が解決しようとする課題】
【０００６】
特許文献１に示された支持具は、「基礎コンクリート用の型枠の組立が簡単に出来、特に枠板の取付け作業の省力化を図った構造で、ベースと立ち上がりを同時に造成することが出来る型枠構造の提供」することを目的としてなされたもので、図８及び図９に示すように、「概略逆Ｔ型断面の基礎構築用筋枠１を用いた型枠構造であって、基礎構築用筋枠１の水平枠側筋１６に止着具５を連結してベース枠板４を配置し、又立ち上がり枠板３を支える為の保持具２を設け、該保持具２は垂直に起立する２本の支持ボルト９、９と支持板６を有し、そして該保持具２は所定長さの連結部材８に一定間隔をおいて取着され、保持具２、２間には振れ止め部材１３を設けている」という構成を有したものである。
【０００７】
この特許文献１の保持具によれば、「ベースと立ち上がり（布基礎）を同時に造成することが出来る」という効果が得られると考えられるが、この保持具は、図８及び図９に示したような非常に大きくて複雑な構造を有しているものであるから、その製造は勿論、施工そのものも困難であると考えられるし、建築コストを増大させる一因となるとも考えられる。
【０００８】
一方、特許文献２に記載された「支持具」は、当該文献２の段落０００６及び０００７に記載されているように、「保持プレートを容易かつ短時間に着脱することができるとともに、保持プレートを立設状態に安定して保持することができる基礎コンクリート成形用プレートの支持具及び支持構造を提供すること」、及び、「鉄筋に対するコンクリートのかぶり厚さ、すなわち鉄筋とコンクリートの端部との距離を一定に設定することができる基礎コンクリート成形用プレートの支持具及び支持構造を提供すること」を目的としてなされたものである。
【０００９】
また、この特許文献２に記載された「支持具」は、図１０にも示すように、
「地面に掘り下げられた溝の両側内面に沿って立設される保持プレートを支持するための支持具において、支持具本体上には保持プレートを挿入支持するための支持溝を上方に向かって開口するように形成する。支持溝の外側上方の支持具本体上には、保持プレートの外面に当接可能な受圧部を形成する。支持溝の内側の支持具本体上には、鉄筋を支持するための支持凹部を形成する」
ものである。
【００１０】
従って、この特許文献２の「支持具」によれば、「保持プレートを容易かつ短時間に着脱することができるとともに、保持プレートを立設状態に安定して保持することができる」と考えられる。しかしながら、この「支持具」は、図１０にも示したように、保持プレートの内外両側にそれぞれ配置される、鉄筋を保持する保持具と、保持プレートの外面に当接する支持具本体との二種類の部材に分けられているため、施工が少し面倒なものとなっている。
【００１１】
また、この特許文献２の「支持具」では、外側に配置される「支持具本体」上に「保持プレート」が乗る状態となるため、地面あるいは「グリ石」との間に、打設されたコンクリートが漏れ出でしまう隙間を形成する可能性を孕んでいる。
【００１２】
そこで、本発明者等は、ベース１１を形成するための鉄筋１３の、ベース型枠１１ａに対する保持ができることは当然として、ベース型枠１１ａの設置や施工を簡単に行え、しかも構造が非常に簡単なベース形成用の保持金具とするにはどうしたらよいか、について種々検討を重ねてきた結果、本発明を完成したのである。
【００１３】
すなわち、本発明の目的とするところは、ベース１１を形成するための鉄筋１３の、ベース型枠１１ａに対する保持が確実にできて、ベース型枠１１ａの設置を簡単に行うことができ、しかも構造が非常に簡単で施工を容易にすることのできるベース形成用の保持金具を提供することにある。
【課題を解決するための手段】
【００１４】
以上の課題を解決するために、まず、請求項１に係る発明の採った手段は、後述する最良形態の説明中で使用する符号を付して説明すると、
「基礎コンクリート１０のベース１１を形成するためのベース型枠１１ａに取り付けられて、両ベース型枠１１ａと、ベース１１内に埋設される鉄筋１３とを連結するための保持金具２０であって、
この保持金具２０を折り曲げ可能な直線状の棒材または板材によって形成するとともに、ベース型枠１１ａに形成した係止穴１１ｂに係止できる先端部２１を両端にそれぞれ形成し、かつ、この保持金具２０を折り曲げたときにできる折曲部２２を、鉄筋１３の挿通保持部としたことを特徴とする保持金具２０」
である。
【００１５】
すなわち、この請求項１に係る保持金具２０は、図１及び図２に示すように、基礎コンクリート１０のベース１１を形成するための、例えば左右のベース型枠１１ａにそれぞれ取り付けられて、両ベース型枠１１ａと、ベース１１内に埋設される鉄筋１３とを連結するためのものである。
【００１６】
また、この保持金具２０は、図３の（ａ）〜（ｃ）に示すように、折り曲げ可能な直線状の棒材または板材によって形成して、両端に、図３の（ｃ）に示すような先端部２１をそれぞれ形成した、非常に簡単な構成のものである。各先端部２１は、図３の（ａ）〜（ｃ）に示すように、ベース型枠１１ａに形成した係止穴１１ｂに係止されるものである。この場合の係止穴１１ｂは、ベース型枠１１ａが板状物によって形成したものであれば、これに形成した内外に通ずる単なる穴でよいし、ベース型枠１１ａがラス網によって形成したものであれば、形成されている網目でよい。
【００１７】
この保持金具２０は、折り曲げ可能な直線状の棒材または板材によって形成したから、これに図１及び図３の（ａ）に示すような折曲部２２を形成することは簡単にできる。なお、この折曲部２２は、施工現場において完成するのではなく、当該保持金具２０を製品化するときに、将来的には折曲部２２となるべき「折曲補助部」、つまり少し折り曲げた部分を予め形成しておき、この折曲補助部にて最終的な折曲を行うようにすればよい。
【００１８】
以上のことを施工順に従って説明すれば、ベース型枠１１ａをベース１１となるべき部分の両側に立設するとともに、一本の保持金具２０について、各ベース型枠１１ａに形成しておいた係止穴１１ｂに一方の先端部２１をそれぞれ係止する。そして、他方の先端部２１については、図１等に示したように、鉄筋１３が折曲部２２内に入るようにしながら、ベース型枠１１ａに形成した他の係止穴１１ｂに係止するのである。
【００１９】
以上の作業を、複数の支持金具２０のそれぞれについて、鉄筋１３を左右からベース型枠１１ａ側に引き込むようにしながら行うのである。その結果、この請求項１に係る支持金具２０によれば、図１に示したように、ベース１１となる部分に鉄筋１３が浮かんだ状態でベース型枠１１ａに支持されることになるし、両ベース型枠１１ａは鉄筋１３と当該保持金具２０との保持によって外に広がりにくいものとなっているのである。
【００２０】
鉄筋１３が浮いた状態にあれば、両ベース型枠１１ａ内に生コンクリートを打設した場合に、この生コンクリートは特別な作業を行うことなく鉄筋１３の下側にも十分回ることになる。しかも、この鉄筋１３のベース型枠１１ａに対する保持は、各保持金具２０によってしっかりとなされてズレることはないから、コンクリートの打設作業も簡単に行えるし、両ベース型枠１１ａが打設されたコンクリートによって外側に広がることもないのである。
【００２１】
従って、この請求項１の保持金具２０は、ベース１１を形成するための鉄筋１３の、ベース型枠１１ａに対する保持が確実にできて、ベース型枠１１ａの設置を簡単に行うことができ、しかも構造が非常に簡単で施工を容易にすることができるものとなっているのである。
【００２２】
上記課題を解決するために、請求項２に係る発明の採った手段は、上記請求項１の保持金具２０について、
「少なくとも一方の先端部２１の内側に係止穴１１ｂに係止できる係止突起２４を形成したこと」
である。
【００２３】
この請求項２に係る保持金具２０は、図４に示したものであり、その基本構成を上記請求項１のそれと略同一にするものであるが、各先端部２１に、各ベース型枠１１ａの係止穴１１ｂに係止できる係止突起２４を形成したものである。
【００２４】
この係止突起２４は、ベース型枠１１ａ側が板状のものであった場合には、このベース型枠１１ａに形成した穴である係止穴１１ｂの周囲になるベース型枠１１ａの外面に係合することなるものであり、ベース型枠１１ａ側がラス網を使用したものであった場合には、その網目に外側から係合することなるものである。この場合、先端部２１が比較的大きい場合には、当該係止突起２４を形成した先端部２１は、係止穴１１ｂ内に斜めになるようにして挿入される。そして、通常の状態に戻したときには、この先端部２１の各保持腕２５は、ベース型枠１１ａの外面や網目に係合することになるのである。なお、この請求項３の保持金具２０においても、請求項２のそれと同様に、杭３０が挿通される挿入穴２３を有していて、この挿入穴２３内に杭３０が挿通されることは、上述した通りである。
【００２５】
この請求項２の保持金具２０では、係止突起２４によって係止穴１１ｂ等に係合した状態にできるから、これがない方の先端部２１の挿通作業や、各挿入穴２３内への杭３０の挿入作業を、当該保持金具２０を外すことなく行えて、施工作業を確実に行えるものとなっている。
【００２６】
また、この係止突起２４は、少なくとも一方の先端部２１の内側に形成すれば足りるが、先端部２１の両方に形成してもよい。両方の先端部２１にて係止穴１１ｂに係止できるからである。
【００２７】
従って、この請求項２の保持金具２０は、ベース１１を形成するための鉄筋１３の、ベース型枠１１ａに対する保持、及び各ベース型枠１１ａに対する係止が確実にできて、ベース型枠１１ａの設置を簡単に行うことができ、しかも構造が非常に簡単で施工を容易にすることができるものとなっているのである。
【００２８】
上記課題を解決するために、請求項３に係る発明の採った手段は、
基礎コンクリート１０のベース１１を形成するためのベース型枠１１ａに取り付けられて、両ベース型枠１１ａと、ベース１１内に埋設される鉄筋１３とを連結するための保持金具２０であって、
この保持金具２０を折り曲げ可能な直線状の棒材または板材によって形成するとともに、ベース型枠１１ａに形成した係止穴１１ｂに挿入できる先端部２１を両端にそれぞれ形成し、かつ、この保持金具２０を折り曲げたときにできる折曲部２２を、鉄筋１３の挿通保持部とし、
さらに、各先端部２１に、各ベース型枠１１ａを地面に固定する杭３０が挿入される挿入穴２３を形成したことを特徴とする保持金具２０」
である。
【００２９】
この請求項３に係る保持金具２０は、図５に示したものであり、その基本構成を上記請求項１のそれと略同一にするものであるが、各先端部２１に、各ベース型枠１１ａを地面に固定する杭３０が挿入される挿入穴２３を形成したことが、上記請求項１の保持金具２０とは異なる点である。なお、この請求項３に係る保持金具２０の、上記請求項
１のそれと共通する部分または部材については、図５中に、請求項１の説明中で使用した符号と同一符号を付して、その説明は省略する。
【００３０】
すなわち、この請求項３の保持金具２０では、図５の（ａ）〜（ｃ）に示すように、各先端部２１を、ベース型枠１１ａの係止穴１１ｂを通して外側に突出させるようにしたものであり、これらの両先端部２１には、特に図５の（ｃ）に拡大して示すように、挿入穴２３を形成したものである。これらの挿入穴２３には、一本の杭３０が上方から同時に挿入されるものであり、この杭３０の下端は地面等に打ち込まれて各保持金具２０を介してベース型枠１１ａを地面に固定する。
【００３１】
各ベース型枠１１ａを地面に固定するための杭３０は、図５の（ｃ）の右側の挿入穴２３内に示した仮想線のように、横断面がＬ字状となるようにしてあり、ベース型枠１１ａを支持したり、打ち込みの際の力に耐えられるように剛性が高くなるようにしてある。この杭３０を打ち込んで、当該保持金具２０を介して各ベース型枠１１ａを固定した平面図が図５の（ｂ）に示してある。
【００３２】
以上のように構成した当該請求項３に係る保持金具２０は、次のようにして施工される。すなわち、例えば上側の先端部２１を、ベース型枠１１ａの係止穴１１ｂに内側から挿入して、この先端部２１に設けてある挿入穴２３がベース型枠１１ａの外側に突出するようにする。下側の先端部２１については、当該保持金具２０の折曲部２２内に鉄筋１３が位置するようにしながら、ベース型枠１１ａの係止穴１１ｂに内側から通して、その挿入穴２３が上述したのと同様にベース型枠１１ａの外側にでるようにする。各先端部２１の挿入穴２３が外側に出たら、図５の（ｂ）にも示すように、これらの挿入穴２３内に杭３０を挿入してこれを基礎溝１４内の地面に打ち込む。このような作業を、必要本数の保持金具２０について行い、各ベース型枠１１ａ及び鉄筋１３の所定位置での固定を行うのである。
【００３３】
従って、この請求項３の保持金具２０は、ベース１１を形成するための鉄筋１３の、ベース型枠１１ａに対する保持、及び杭３０の各ベース型枠１１ａに対する保持が確実にできて、ベース型枠１１ａの設置を簡単に行うことができ、しかも構造が非常に簡単で施工を容易にすることができるものとなっているのである。
【００３４】
また、上記課題を解決するために請求項４に係る発明の採った手段は、上記請求項１〜請求項３のいずれかの保持金具２０について、
「先端部２１の、折曲部２２の近傍に位置する部分に、鉄筋１３を止めるための鉄筋止め２６を一体的に形成したこと」
である。
【００３５】
すなわち、この請求項４に係る保持金具２０は、図４に示すように、先端部２１の、折曲部２２の近傍に位置する部分に、鉄筋１３を止めるための鉄筋止め２６を一体的に形成したものである。
【００３６】
これによりこの請求項４の保持金具２０では、図４に示したように、折曲部２２の近傍に形成した鉄筋止め２６によって、図４の（ａ）に示したように、折曲部２２の近傍において鉄筋１３を包み込むことになるものであり、鉄筋１３の保持を確実にするものである。この鉄筋止め２６は、図４の（ａ）及び（ｃ）に示すように、当該保持金具２０の一部に切り込みを入れて、これによって出来た部分を内側に折り込めば、簡単に形成できるものである。
【００３７】
従って、この請求項４の保持金具２０は、ベース１１を形成するための鉄筋１３の、ベース型枠１１ａに対する保持が確実にできて、ベース型枠１１ａの設置を簡単に行うことができ、しかも構造が非常に簡単で施工を容易にすることができるものとなっているのである。
【００３８】
そして、上記課題を解決するために請求項５に係る発明の採った手段は、
「基礎コンクリート１０のベース１１を形成するためのベース型枠１１ａに取り付けられて、両ベース型枠１１ａと、ベース１１内に埋設される鉄筋１３とを連結するための保持金具２０であって、
この保持金具２０を折り曲げ可能な直線状の棒材または板材によって形成するとともに、ベース型枠１１ａの外側に配置される基部２０ａの両側に、ベース型枠１１ａの内側に折り曲げることのできる先端部２１をそれぞれ一体的に設け、これら各先端部２１の先端に、鉄筋１３を挿通して保持する保持腕２５を形成したことを特徴とする保持金具２０」
である。
【００３９】
すなわち、この請求項５に係る保持金具２０は、図６に示すように、ベース型枠１１ａの外側に配置されることになる基部２０ａを有していて、この基部２０ａの上下両端から、ベース型枠１１ａの内側に延びる先端部２１を有しているものである。そして、これら各先端部２１の先端に、図６の（ａ）に示すように、鉄筋１３を保持することになる保持腕２５をそれぞれ形成したものである。
【００４０】
この請求項５に係る保持金具２０を施工するには、各先端部２１がベース型枠１１ａの内側になるようにしながら、その基部２０ａを各ベース型枠１１ａの外側面に当接させるのである。そして、各先端部２１を両ベース型枠１１ａ内の中央部分になるように折り曲げて、その各先端に形成してある保持腕２５を鉄筋１３に係合させて、図６の（ａ）に示すように、各保持腕２５によって鉄筋１３の周囲を保持するのである。
【００４１】
以上の結果、鉄筋１３は、両ベース型枠１１ａ内に延びてきている各先端部２１の保持腕２５によって抱きかかえられる状態となり、この鉄筋１３のベース型枠１１ａに対する保持もなされることになるのである。
【００４２】
従って、この請求項５の保持金具２０は、ベース１１を形成するための鉄筋１３の、ベース型枠１１ａに対する保持が確実にできて、ベース型枠１１ａの設置を簡単に行うことができ、しかも構造が非常に簡単で施工を容易にすることができるものとなっているのである。
【発明の効果】
【００４３】
以上の通り、本発明においては、主として、
「基礎コンクリート１０のベース１１を形成するためのベース型枠１１ａに取り付けられて、両ベース型枠１１ａと、ベース１１内に埋設される鉄筋１３とを連結するための保持金具２０であって、
この保持金具２０を折り曲げ可能な直線状の棒材または板材によって形成するとともに、ベース型枠１１ａに形成した係止穴１１ｂに係止できる先端部２１を両端にそれぞれ形成し、かつ、この保持金具２０を折り曲げたときにできる折曲部２２を、鉄筋１３の挿通保持部としたこと」
にその構成上の特徴があり、これにより、ベース１１を形成するための鉄筋１３の、ベース型枠１１ａに対する保持が確実にできて、ベース型枠１１ａの設置を簡単に行うことができ、しかも構造が非常に簡単で施工を容易にすることができる保持金具２０を提供することができるのである。
【発明を実施するための最良の形態】
【００４４】
次に、上記のように構成した各請求項に係る発明を、図面に示した最良の形態である保持金具２０について説明すると、図１には、本発明に係る保持金具２０を使用して、基礎コンクリート１０を構成しているベース１１を完成させた状態の縦断面図が示してある。
【００４５】
このような基礎コンクリート１０は、図７に示したように、建物を建てる土地に基礎溝１４を形成しておいて、例えば図２に示したように、この基礎溝１４上の左右にベース型枠１１ａを立設しておき、このベース型枠１１ａ内に生コンクリートを打設することによって、まず、ベース１１を形成するのである。この際、本発明に係る保持金具２０を使用することによって、ベース型枠１１ａ内に完成されるベース１１の強度を補償するための鉄筋１３が配置される。なお、この鉄筋の先端は、ベース１１から突出するものとされる。
【００４６】
ベース１１が完成すれば、図１の仮想線にて示したように、鉄筋１３の一部が上方に突出するから、この鉄筋１３を包み込むようにしながら、ベース１１上に左右の布基礎型枠１２ａを組み、これらの布基礎型枠１２ａの間にコンクリートを打設して布基礎１２を形成する。以上のようにして、断面が逆「Ｔ字状」の基礎コンクリート１０が完成されるのである。
【００４７】
さて、各ベース型枠１１ａに鉄筋１３を保持させるための本発明に係る保持金具２０としては、図３に示した請求項１に係るもの、図４に示した請求項２及び請求項４に係るもの、図５に示した請求項３に係るもの、そして、図６に示した請求項５に係るものがあるので、以下では請求項の順を追って、各保持金具２０を順次説明して行くこととする。
【００４８】
まず、請求項１に係る保持金具２０は、図１及び図２に示したように、基礎コンクリート１０のベース１１を形成するための左右のベース型枠１１ａに取り付けられて、両ベース型枠１１ａと、ベース１１内に埋設される鉄筋１３とを連結するためのものである。
【００４９】
また、この請求項１に係る保持金具２０は、図３の（ａ）〜（ｃ）に示したように、折り曲げ可能な直線状の棒材または板材によって形成して、両端に、図３の（ｃ）に示したような先端部２１をそれぞれ形成したものである。各先端部２１は、図３の（ａ）〜（ｃ）に示したように、板またはラス網で形成したベース型枠１１ａに設けた、単なる穴または網目である係止穴１１ｂに係止されるものである。
【００５０】
この請求項１及び以下の各請求項に係る保持金具２０は、折り曲げ可能な直線状の棒材または板材によって形成したから、これに図１及び図３の（ａ）に示すような折曲部２２を形成することが簡単にできるものとなっている。
【００５１】
図４には、請求項２に係る係止突起２４を有した保持金具２０、及び請求項４に係る手金止め２６を有した保持金具２０が示してあるが、この保持金具２０の基本構成は上記請求項１のそれと略同一である。なお、これらの請求項２及び請求項４に係る保持金具２０の、上記請求項１のそれと共通する部分または部材については、図４中に、請求項１の説明中で使用した符号と同一符号を付して、その説明は省略する。
【００５２】
請求項２の保持金具２０は、各先端部２１に杭３０が挿入される挿入穴２３を形成し、例えば図４の（ｃ）右側の先端部２１について示してあるように、一方の先端部２１の内側に、ベース型枠１１ａ側の係止穴１１ｂに係止できる係止突起２４を形成したものである。
【００５３】
そして、請求項４の保持金具２０では、図４に示したように、折曲部２２の近傍に鉄筋止め２６が形成してある。この鉄筋止め２６は、図４の（ａ）に示したように、折曲部２２の近傍において鉄筋１３を包み込むことになるものであり、鉄筋１３の保持を確実にするものである。この鉄筋止め２６は、図４の（ａ）及び（ｃ）に示したように、当該保持金具２０の一部に切り込みを入れて、これによって出来た部分を内側に折り込めば、簡単に形成できるものである。
【００５４】
さて、請求項３の保持金具２０では、図５の（ａ）〜（ｃ）に示したように、各先端部２１を、ベース型枠１１ａの係止穴１１ｂを通して外側に突出させるようにしたものであり、これらの両先端部２１には、特に図５の（ｃ）に拡大して示したように、挿入穴２３を形成したものである。これらの挿入穴２３には、一本の杭３０が上方から同時に挿入されるものであり、この杭３０の下端は地面等に打ち込まれて各保持金具２０を介してベース型枠１１ａを地面に固定する。
【００５５】
各ベース型枠１１ａを地面に固定するための杭３０は、図５の（ｃ）の右側の挿入穴２３内に示した仮想線のように、横断面がＬ字状となるようにしてあり、ベース型枠１１ａを支持したり、打ち込みの際の力に耐えられるように剛性が高くなるようにしてある。この杭３０を打ち込んで、当該保持金具２０を介して各ベース型枠１１ａを固定した平面図が図５の（ｂ）に示してある。
【００５６】
つまり、この請求項３に係る保持金具２０は、図５に示したように、その基本構成を上記請求項１のそれと略同一にするとともに、各先端部２１に、各ベース型枠１１ａを地面に固定する杭３０が挿入される挿入穴２３を形成し、一方の先端部２１の内側に係止穴１１ｂに係止できる係止突起２４を形成したことが、上記請求項１の保持金具２０とは異なる点である。なお、この請求項３に係る保持金具２０の、上記請求項１のそれと共通する部分または部材については、図５中に、請求項１の説明中で使用した符号と同一符号を付して、その説明は省略する。
【００５７】
そして、請求項５に係る保持金具２０は、図６に示したように、ベース型枠１１ａの外側に配置されることになる基部２０ａを有していて、この基部２０ａの上下両端から、ベース型枠１１ａの内側に延びる先端部２１を有しているものである。そして、これら各先端部２１の先端に、図６の（ａ）に示したように、鉄筋１３を保持することになる保持腕２５をそれぞれ形成したものである。
【００５８】
この請求項５に係る保持金具２０を施工するには、各先端部２１がベース型枠１１ａの内側になるようにしながら、その基部２０ａを各ベース型枠１１ａの外側面に当接させるのである。そして、各先端部２１を両ベース型枠１１ａ内の中央部分になるように折り曲げて、その各先端に形成してある保持腕２５を鉄筋１３に係合させて、図６の（ａ）に示したように、各保持腕２５によって鉄筋１３の周囲を保持するのである。
【００５９】
この請求項５に係る保持金具２０を使用した場合、鉄筋１３は、両ベース型枠１１ａ内に延びてきている各先端部２１の保持腕２５によって抱きかかえられる状態となり、この鉄筋１３のベース型枠１１ａに対する保持もなされることになるのである。
【図面の簡単な説明】
【００６０】
【図１】本発明に係る保持金具を使用して完成させたベースの縦断面図である。
【図２】完成する前のベースの部分平面図である。
【図３】請求項１に係る保持金具を示すもので、（ａ）は側面図、（ｂ）は平面図、（ｃ）は開いた状態の拡大平面図である。
【図４】請求項２及び請求項４に係る保持金具を示すもので、（ａ）は側面図、（ｂ）は平面図、（ｃ）は開いた状態の拡大平面図である。
【図５】請求項３に係る保持金具を示すもので、（ａ）は側面図、（ｂ）は平面図、（ｃ）は開いた状態の拡大平面図である。
【図６】請求項５に係る保持金具を示すもので、（ａ）は側面図、（ｂ）は平面図、（ｃ）は開いた状態の拡大平面図である。
【図７】一般的な基礎コンクリートの構成を示す縦断面図である。
【図８】従来技術を示す正面図である。
【図９】図８において示す保持具の斜視図である。
【図１０】従来の他の技術を示す縦断面図である。
【符号の説明】
【００６１】
１０    基礎コンクリート
１１    ベース
１１ａ  ベース型枠
１１ｂ  係止穴
１２    布基礎
１２ａ  布基礎型枠
１３    鉄筋
１４    基礎溝
２０    保持金具
２０ａ  基部
２１    先端部
２１ａ  係止部
２２    折曲部
２３    挿入穴
２４    係止突起
２５    保持腕
２６    鉄筋止め
３０    杭
【図１】
2008196243.tif 000003
【図２】
2008196243.tif 000004
【図３】
2008196243.tif 000005
【図４】
2008196243.tif 000006
【図５】
2008196243.tif 000007
【図６】
2008196243.tif 000008
【図７】
2008196243.tif 000009
【図８】
2008196243.tif 000010
【図９】
2008196243.tif 000011
【図１０】
2008196243.tif 000012